(57)【要約】【課題】筐体形状が小型化、薄型化しても充分な大きさの音圧レベルによる特定音の出力を可能とする携帯電子機器及び音出力方法を提供する。【解決手段】音響処理部７４は、音響孔を介してスピーカ７７から特定の周波数帯域を有する特定音を出力する際に、所定の音響出力特性における最大の音圧レベルに相当する周波数帯域の音圧レベルを上昇させた状態で、特定音を出力する。特定音は、ブザー音、アラーム音、着信音の少なくともいずれかにより構成される。【選択図】図２
2008301093.tif 000002
【特許請求の範囲】
【請求項１】
音響孔が形成された筐体と、
前記筐体内の所定の場所に配置され、前記音響孔を介して音を出力するスピーカと、
前記スピーカから出力される音の音圧レベルを制御する音響出力制御部と、を備え、
前記音響孔を介して前記スピーカから出力される音は、所定の音響出力特性を有し、
前記音響出力制御部は、前記音響孔を介して前記スピーカから特定音を出力する際に、前記所定の音響出力特性で最大の音圧レベルとなる所定周波数帯域の音圧レベルを上昇させた状態で、前記特定音を出力することを特徴とする携帯電子機器。
【請求項２】
前記所定の音響出力特性で最大の音圧レベルとなる前記所定周波数帯域の音圧レベルを上昇させた状態の特定音が予め記憶されている記憶部を備え、
前記音響出力制御部は、前記音響孔を介して前記スピーカから特定音を出力する際に、前記記憶部に記憶されている前記特定音を読み出して出力することを特徴とする請求項１記載の携帯電子機器。
【請求項３】
前記所定周波数帯域とは異なる特定の周波数帯域で最大の音圧レベルとなる前記特定音が予め記憶されている記憶部を備え、
前記音響出力制御部は、前記音響孔を介して前記スピーカから特定音を出力する際に、前記記憶部に記憶されている前記特定音の前記所定周波数帯域の音圧レベルを上昇させて出力することを特徴とする請求項１記載の携帯電子機器。
【請求項４】
前記音響出力制御部は、前記音響孔を介して前記スピーカから前記特定音を出力する際に、前記特定の周波数帯域の音圧レベルを上昇させて出力することを特徴とする請求項３に記載の携帯電子機器。
【請求項５】
前記特定音は、単一周波数により構成される音であることを特徴とする請求項１乃至４のいずれか１項に記載の携帯電子機器。
【請求項６】
前記特定音は、ブザー音、アラーム音、着信音の少なくともいずれかにより構成されることを特徴とする請求項１乃至５のいずれか１項に記載の携帯電子機器。
【請求項７】
音響孔が形成された筐体と、前記筐体内の所定の場所に配置され、前記音響孔を介して音を出力するスピーカと、前記スピーカから出力される音の音圧レベルを制御する音響出力制御部と、を備える携帯電子機器での音出力方法において、
前記音響孔を介して前記スピーカから出力される音は、所定の音響出力特性を有しており、
前記音響孔を介して前記スピーカから特定音を出力する際に、前記所定の音響出力特性で最大の音圧レベルとなる所定周波数帯域の音圧レベルを上昇させた状態で、前記特定音を出力することを特徴とする音出力方法。
【発明の詳細な説明】
【技術分野】
【０００１】
本発明は、音を出力する携帯電子機器及び音出力方法に関し、特に、音声等を鳴動するスピーカを備えた携帯電子機器及び音出力方法に関する。
【背景技術】
【０００２】
従来から、携帯電話機や各種モバイル機器や電子辞書等の携帯電子機器において、警報ブザー、アラーム、着信音等の鳴動を可能としたものが知られている（例えば、特許文献１を参照。）。
【０００３】
また、このような携帯電子機器においては、小型化や薄型化が急速に進んでおり、携帯電子機器本体（筐体）の内部に配置されたスピーカにおいても小型化や薄型化を余儀なくされている。
【０００４】
したがって、このようなスピーカから警報ブザー等を鳴動する際、そのスピーカ固有の音響出力特性をそのまま利用して音響出力したのでは、音圧が高すぎるために音割れが発生したり、音圧が低くて聞き取り難い、等の不具合が発生し易く、特に、筐体内でのスピーカ配置容積を確保することが難しくなってきていることから、所望する音圧レベルの警報ブザー等が出力されない傾向にある。
【０００５】
そこで、小型化、薄型化しつつある筐体内にスピーカを配置する際、その筐体に形成した音響出力孔の数や形状、あるいは、配設位置等を考慮して、できるだけスピーカ固有の音響出力特性を生かしつつ音圧をあげる技術が知られている（例えば、特許文献２を参照）。
【特許文献１】特開２０００−１８４０２１号公報
【特許文献２】特開２００２−１６９５６５号公報
【発明の開示】
【発明が解決しようとする課題】
【０００６】
ところが、このような携帯電子機器にあっては、携帯電子機器本体（筐体）は、音響装置におけるスピーカ筐体と同等の機能を果たすため、その筐体構造（内部部品の配置等を含む）を考慮したうえで、音響出力時に使用する周波数帯域と音圧レベルとを考慮して音響出力特性を決定する必要がある。
【０００７】
しかしながら、上述した携帯電子機器では、単にスピーカの配置を筐体内部の正面周辺に配置しただけで、例えば、折りたたみ式の携帯電話機では使用状態（展開状態）と非使用状態（折畳状態）とでは、筐体正面とスピーカ配置との関係が変化してしまう等の問題がある。
【０００８】
また、上述した警報ブザー等にあっては、その音色が単一周波数により構成される音であることから、その使用周波数帯域並びに音圧レベルは、携帯電子機器の機種等に拘らず、同一の音源データが利用されているため、携帯電子機器の種類によっては聞き取り難く、規定音圧レベルを出すことが困難であるという問題を解消することができなかった。
【０００９】
そこで、本発明は、上述のような課題に鑑みてなされたものであり、その目的の一つは、筐体形状が小型化、薄型化しても充分な大きさの音圧レベルによる特定音の出力を可能とする携帯電子機器及び音出力方法を提供することを目的とする。
【課題を解決するための手段】
【００１０】
本発明に係る携帯電子機器は、上記課題を解決するために、音響孔が形成された筐体と、前記筐体内の所定の場所に配置され、前記音響孔を介して音を出力するスピーカと、前記スピーカから出力される音の音圧レベルを制御する音響出力制御部と、を備え、前記音響孔を介して前記スピーカから出力される音は、所定の音響出力特性を有し、前記音響出力制御部は、前記音響孔を介して前記スピーカから特定音を出力する際に、前記所定の音響出力特性で最大の音圧レベルとなる所定周波数帯域の音圧レベルを上昇させた状態で、前記特定音を出力することを特徴とする。
【００１１】
また、上記携帯電子機器では、前記所定の音響出力特性で最大の音圧レベルとなる前記所定周波数帯域の音圧レベルを上昇させた状態の特定音が予め記憶されている記憶部を備え、前記音響出力制御部は、前記音響孔を介して前記スピーカから特定音を出力する際に、前記記憶部に記憶されている前記特定音を読み出して出力することが好ましい。
【００１２】
また、上記携帯電子機器では、前記所定周波数帯域とは異なる特定の周波数帯域で最大の音圧レベルとなる前記特定音が予め記憶されている記憶部を備え、前記音響出力制御部は、前記音響孔を介して前記スピーカから特定音を出力する際に、前記記憶部に記憶されている前記特定音の前記所定周波数帯域の音圧レベルを上昇させて出力することが好ましい。
【００１３】
また、上記携帯電子機器では、前記音響出力制御部は、前記音響孔を介して前記スピーカから前記特定音を出力する際に、前記特定の周波数帯域の音圧レベルを上昇させて出力することが好ましい。
【００１４】
また、上記携帯電子機器では、前記特定音は、単一周波数により構成される音であることが好ましい。
【００１５】
また、上記携帯電子機器では、前記特定音は、ブザー音、アラーム音、着信音の少なくともいずれかにより構成されることが好ましい。
【００１６】
また、本発明に係る音出力方法は、上記課題を解決するために、音響孔が形成された筐体と、前記筐体内の所定の場所に配置され、前記音響孔を介して音を出力するスピーカと、前記スピーカから出力される音の音圧レベルを制御する音響出力制御部と、を備える携帯電子機器での音出力方法において、前記音響孔を介して前記スピーカから出力される音は、所定の音響出力特性を有しており、前記音響孔を介して前記スピーカから特定音を出力する際に、前記所定の音響出力特性で最大の音圧レベルとなる所定周波数帯域の音圧レベルを上昇させた状態で、前記特定音を出力することを特徴とする。
【発明の効果】
【００１７】
本発明の携帯電子機器は、筐体形状が小型化、薄型化しても充分な音圧レベルの音響出力を可能とする。
【発明を実施するための最良の形態】
【００１８】
以下、本発明の実施の形態について説明する。
【００１９】
図１は、本発明に係る携帯電子機器の一例である携帯電話機１の外観斜視図を示す。なお、図１は、いわゆる折り畳み型の携帯電話機の形態を示しているが、本発明に係る携帯電話機の形態としては特にこれに限られない。また、携帯電子機器としては携帯電話機に限定されず、いわゆるモバイル機器や携帯用防犯ブザー機等でも良い。
【００２０】
図１において、携帯電話機１は、操作部側筐体部２と、表示部側筐体部３と、を備えて構成される。
【００２１】
操作部側筐体部２は、表面部１０に、操作ボタン群１１と、携帯電話機１の使用者が通話時に発した音声が入力される音声入力部１２と、を備えて構成される。
【００２２】
操作ボタン群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２３】
表示部側筐体部３は、表面部２０に、各種情報を表示するためのディスプレイ２１と、通話の相手側の音声を出力する音声出力部２２と、を備えて構成されている。
【００２４】
また、上述した操作ボタン群１１、音声入力部１２、ディスプレイ２１及び音声出力部２２は、後述する処理部６２の一部を構成している。
【００２５】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた使用状態（展開状態）と、操作部側筐体部２と表示部側筐体部３とが折り畳まれた非使用状態（折畳状態）とに変化することができる。
【００２６】
図２は、携帯電話機１の機能を示す機能ブロック図である。
【００２７】
携帯電話機１は、外部の端末と通信を行う通信部６１と、通信部６１により通信される情報を処理する処理部６２と、を備えている。
【００２８】
通信部６１は、所定の使用周波数帯により外部装置（基地局）と通信を行うメインアンテナ７０と、変調処理又は復調処理等の信号処理を行う通信処理部７１と、を備える。また、通信部６１は、充電池４３から電源の供給を受けている。
【００２９】
メインアンテナ７０は、所定の使用周波数帯（例えば、８００ＭＨｚ）で外部装置と通信を行う。なお、本実施の形態では、所定の使用周波数帯として、８００ＭＨｚとしたが、これ以外の周波数帯であっても良い。また、メインアンテナ７０は、所定の使用周波数帯の他に、第２の使用周波数帯（例えば、２ＧＨｚ）に対応できる、いわゆるデュアルバンド対応型による構成であっても良いし、さらに、他の使用周波数帯にも対応できる複数バンド対応型により構成されていても良い。
【００３０】
通信処理部７１は、メインアンテナ７０によって受信した信号を復調処理し、処理後の信号を処理部６２に供給し、処理部６２から供給された信号を変調処理し、メインアンテナ７０を介して外部装置に送信する。
【００３１】
また、処理部６２は、操作ボタン群１１と、音声入力部１２と、ディスプレイ２１と、音声出力部２２と、所定の演算処理を行うＣＰＵ７２と、所定のデータが格納されているメモリ７３と、所定の音処理を行う音響処理部（音響出力制御部）７４と、所定の画像処理を行う画像処理部７５と、被写体を撮像するカメラモジュール７６と、着信音等が出力されるスピーカ７７と、を備えている。また、処理部６２は、充電池４３から電源の供給を受けている。また、これら各構成部材は、操作部側筐体部２又は表示部側筐体部３のいずれかの筐体内部に配設されている。
【００３２】
また、メモリ７３には、本発明の音圧制御に係わる制御プログラムが格納されており、この制御プログラムを実行するＣＰＵ７２とでマイクロコンピュータを構成している。
【００３３】
具体的には、スピーカ７７は、例えば、操作部側筐体部２の背面（操作ボタン群１１の配置面とは反対側の面）側の筐体内部に設けられており、その操作部側筐体部２の筐体形状やスピーカ自身の機能等により、操作部側筐体部２に配設された状態で所定の音響出力特性を持って音声出力を行うように構成されている。また、スピーカ７７から出力された音は、操作部側筐体部２の背面に形成されている音響孔を介して、筐体外部に出力される。なお、スピーカ７７が配置される場所は、操作部側筐体部２に限られず、表示部側筐体部３に設けられていても良い。
【００３４】
図３は、このような筐体形状（筐体構造）等に伴うスピーカ７７の所定の音響出力特性における周波数特性と音圧との関係を示す音響出力特性のグラフ図である。図３に示すように、本発明の携帯電話機１のスピーカ７７にあっては、周波数帯域が８０００Ｈｚ付近（所定周波数帯域）において音圧レベルが約９８ｄＢの音圧ピーク値を備えて音圧レベルが最大となっている。なお、音響出力特性は、筐体形状と、配置されるスピーカ７７とにより決定されるものであり、図３に示す音響出力特性は一例である。
【００３５】
一方、メモリ７３には、警報ブザー音、アラーム音、着信音等（以下、特定音という。）の各種音源データが格納されており、必要に応じてスピーカ７７から音響出力（鳴動）するようになっている。
【００３６】
この際、例えば、一般的な警報ブザー音は、その音色が単一周波数により構成される単調音であることから、その使用周波数帯域並びに音圧レベルは、携帯電子機器の機種等に拘らず、同一の音源データが利用されている。
【００３７】
図４は、このような一般的な警報ブザー音における周波数帯域と音圧との関係を示すグラフ図である。
【００３８】
また、図４に示すように、一般的な警報ブザー音においては、周波数帯域１０００〜２０００Ｈｚ付近の周波数帯域（特定の周波数帯域）で音圧が集中し、スピーカ７７の所定の音響出力特性での所定周波数帯域とは異なる当該特定の周波数帯域で音圧レベルが最大となる音源データとなっており、その音圧ピーク値は約９７ｄＢ付近にある。
【００３９】
しかしながら、この携帯電話機１に配設されたスピーカ７７を用いて警報ブザー音を鳴動させた場合、図３に示すスピーカ７７の音響出力特性における１０００〜２０００Ｈｚ付近（特定周波数帯域に相当する周波数帯域）では、８０ｄＢ〜９０ｄＢの音圧レベルしか出力できないため、出力される警報ブザー音の音圧レベルは、８０ｄＢ〜９０ｄＢとなり、元来の最大となる音圧レベル（９７ｄＢ）よりも低くなってしまう。
【００４０】
そこで、本発明に係る携帯電話機１では、図３に示すスピーカ７７の音響出力特性を有する場合に、図４に示す音圧レベルの特性を有する警報ブザー音を鳴動させた場合において、コストアップを伴わずに、充分な音圧レベルの鳴動を可能にすることを目的とする。
【００４１】
具体的には、音響出力制御部（音響処理部７４とＣＰＵ７２とにより構成される）は、音響孔を介してスピーカ７７から特定の周波数帯域で最大の音圧レベルとなる特定音（例えば、図４に示す特性を有する警報ブザー音）を出力する際に、メモリ７３から当該特定音の音源データを読み出して、所定の音響出力特性（例えば、図３に示す携帯電話機１の音響出力特性）で最大の音圧レベルとなる所定周波数帯域（図３においては、８０００Ｈｚ付近）に相当する周波数帯域の音圧レベルを上昇させた状態で、警報ブザー音（特定音）を出力する（図５を参照。）。
【００４２】
なお、図５は、携帯電話機１の音響出力特性における最大の音圧レベルとなる所定周波数帯域（８０００Ｈｚ付近）に相当する周波数帯域の音圧レベルを上昇させた状態の警報ブザー音（特定音）の周波数特性を示している。
【００４３】
したがって、本発明に係る携帯電話機１は、当該携帯電話機１が有する音響出力特性で最大の音圧レベルとなる所定周波数帯域に相当する周波数帯域の音圧レベルを上昇させて警報ブザー音（特定音）を出力するので、携帯電話機１での音響出力特性に応じて充分な大きさの音圧レベルによる警報ブザー音（特定音）の出力を可能とする。また、本発明に係る携帯電話機１では、警報ブザー音の元来の特徴的な周波数特性（１０００Ｈｚ〜２０００Ｈｚの周波数帯域で音圧レベルが最大となる特性）を維持しつつ、高周波数帯域（所定周波数帯域）における音圧レベルを上昇させて出力するので、警報ブザー音としての特徴を損なうことなく、聴感上において、大きな警報ブザー音を鳴動させることができる。
【００４４】
また、音声出力を行う際にメモリ７３に格納された図３に示される周波数特性を有する警報ブザー音（特定音）の所定周波数帯域における音圧レベルを上昇させる構成に代えて、図５に示すような周波数特性を有する警報ブザー音（特定音）を予めメモリ７３に格納しておく構成であっても良い。このような構成の場合には、携帯電話機１は、音響孔を介してスピーカ７７から警報ブザー音を出力する際に、メモリ７３に記憶されている警報ブザー音を読み出して出力する。
【００４５】
また、携帯電話機１は、音響孔を介してスピーカ７７から警報ブザー音を出力する際に、元来の音圧レベルが最大となる警報ブザー音の特定の周波数帯域（１０００Ｈｚ〜２０００Ｈｚ）の音圧レベルを上昇させて出力することが好ましい。この場合、出力される警報ブザー音は、所定周波数帯域（８０００Ｈｚ付近）及び特定の周波数帯域（１０００Ｈｚ〜２０００Ｈｚ）での音圧レベルが上昇させられることとなり、より大きな警報ブザー音で鳴動させることができる。また、特定の周波数帯域（１０００Ｈｚ〜２０００Ｈｚ）での音圧レベルのみを上昇させるようにしても良く、この場合には、元来の特定の周波数帯域（１０００Ｈｚ〜２０００Ｈｚ）での音圧レベルよりも高い音圧レベルで警報ブザー音が鳴動されることとなり、所定周波数帯域（８０００Ｈｚ付近）での音圧レベルを上昇させて出力される警報ブザー音の音圧レベルと同等の音圧レベルで警報ブザー音を鳴動させることができる。
【００４６】
また、本実施例においては、特定音を警報ブザー音として説明したが、これに限られず、アラーム音や着信音等であっても良い。
【図面の簡単な説明】
【００４７】
【図１】本発明に係る携帯電話機の外観を示す斜視図である。
【図２】本発明に係る携帯電話機の機能を示すブロック図である。
【図３】本発明に係る携帯電話機における音響出力特性のグラフ図である。
【図４】本発明に係る携帯電話機における音圧レベル変更前の音源の出力特性のグラフ図である。
【図５】本発明に係る携帯電話機における音圧レベル変更後の音源の出力特性のグラフ図である。
【符号の説明】
【００４８】
１  携帯電話機
２  操作部側筐体部（筐体）
３  表示部側筐体部（筐体）
７２  メモリ（記憶部）
７３  ＣＰＵ
７４  音響処理部
７７  スピーカ
【図１】
2008301093.tif 000003
【図２】
2008301093.tif 000004
【図３】
2008301093.tif 000005
【図４】
2008301093.tif 000006
【図５】
2008301093.tif 000007